【手続補正書】
【提出日】平成25年9月13日(2013.9.13)
【手続補正１】
【補正対象書類名】明細書
【補正対象項目名】０００３
【補正方法】変更
【補正の内容】
【０００３】
【特許文献１】特開２００９−２２４８９０号公報
【手続補正２】
【補正対象書類名】明細書
【補正対象項目名】０００５
【補正方法】変更
【補正の内容】
【０００５】
本発明の課題は、マーキングしたい対象物を容易に指定することができる表示装置、表示方法及びプログラムを提供することである。
【手続補正３】
【補正対象書類名】明細書
【補正対象項目名】０００６
【補正方法】変更
【補正の内容】
【０００６】
上記課題を解決するため、本発明の表示装置は、
画像を逐次撮像する撮像手段と、
前記撮像手段により撮像された前記画像を表示する表示手段と、
前記表示手段により表示された画像に含まれ、前記表示手段における所定位置に表示されている対象物をマーキングするための指示信号を入力する指示手段と、
当該表示装置が存する位置を特定する位置特定手段と、
前記撮像手段による撮像の方向を特定する方向特定手段と、
前記指示手段により前記指示信号が入力されると、前記位置特定手段により特定された当該表示装置の位置及び前記方向特定手段により特定された撮像の方向に基づいて、当該表示装置の位置に対する前記対象物の位置を特定する特定手段と、
前記対象物の位置を報知する報知手段と、
を備えることを特徴とする。
【手続補正４】
【補正対象書類名】明細書
【補正対象項目名】０００７
【補正方法】変更
【補正の内容】
【０００７】
また、本発明の表示方法は、
撮像手段により逐次撮像された画像を表示する表示手段を備えた表示装置による表示方法であって、
前記表示手段により表示された画像に含まれ、前記表示手段における所定位置に表示されている対象物をマーキングするための指示信号を入力する指示ステップと、
当該表示装置が存する位置を特定する位置特定ステップと、
前記撮像手段による撮像の方向を特定する方向特定ステップと、
前記指示ステップにより前記指示信号が入力されると、前記位置特定ステップにより特定された当該表示装置の位置及び前記方向特定ステップにより特定された撮像の方向に基づいて、当該表示装置の位置に対する前記対象物の位置を特定する特定ステップと、
前記対象物の位置を報知する報知ステップと、
を有することを特徴とする。
【手続補正５】
【補正対象書類名】明細書
【補正対象項目名】０００８
【補正方法】変更
【補正の内容】
【０００８】
また、本発明のプログラムは、
撮像手段により逐次撮像された画像を表示する表示手段を備えた表示装置のコンピュータに、
前記表示手段により表示された画像に含まれ、前記表示手段における所定位置に表示されている対象物をマーキングするための指示信号を入力する指示機能、
当該表示装置が存する位置を特定する位置特定機能、
前記撮像手段による撮像の方向を特定する方向特定機能、
前記指示機能により前記指示信号が入力されると、前記位置特定機能により特定された当該表示装置の位置及び前記方向特定機能により特定された撮像の方向に基づいて、当該表示装置の位置に対する前記対象物の位置を特定する特定機能、
前記対象物の位置を報知する報知機能、
を実現させることを特徴とする。
【手続補正６】
【補正対象書類名】明細書
【補正対象項目名】０００９
【補正方法】変更
【補正の内容】
【０００９】
本発明によれば、マーキングしたい対象物を容易に指定することができる。
【手続補正７】
【補正対象書類名】特許請求の範囲
【補正対象項目名】全文
【補正方法】変更
【補正の内容】
【特許請求の範囲】
【請求項１】
画像を逐次撮像する撮像手段と、
前記撮像手段により撮像された前記画像を表示する表示手段と、
前記表示手段により表示された画像に含まれ、前記表示手段における所定位置に表示されている対象物をマーキングするための指示信号を入力する指示手段と、
当該表示装置が存する位置を特定する位置特定手段と、
前記撮像手段による撮像の方向を特定する方向特定手段と、
前記指示手段により前記指示信号が入力されると、前記位置特定手段により特定された当該表示装置の位置及び前記方向特定手段により特定された撮像の方向に基づいて、当該表示装置の位置に対する前記対象物の位置を特定する特定手段と、
前記対象物の位置を報知する報知手段と、
を備えることを特徴とする表示装置。
【請求項２】
前記表示手段は、前記所定位置を示す指標を前記画像に重畳させて当該表示手段に表示させることを特徴とする請求項１に記載の表示装置。
【請求項３】
前記対象物が前記表示手段に表示されているか否かを判定する判定手段をさらに備え、
前記報知手段は、前記判定手段による判定結果に応じて報知の内容を変化させることを特徴とする請求項１又は２に記載の表示装置。
【請求項４】
前記報知手段は、前記判定手段により前記対象物が前記表示手段に表示されていると判定された場合、前記対象物の位置を示すマーカー表示を前記表示手段に行わせ、その一方で、前記判定手段により前記対象物が前記表示手段に表示されていないと判定された場合、前記表示手段外に存する前記対象物の位置を案内するガイド表示を前記表示手段に行わせることを特徴とする請求項３に記載の表示装置。
【請求項５】
前記ガイド表示は、当該表示装置を基準として前記対象物の存する方向を示す矢印表示を含むことを特徴とする請求項４に記載の表示装置。
【請求項６】
当該表示装置と前記指示手段により指示信号が入力された対象物の位置との距離を測定する測定手段をさらに備え、
前記特定手段は、前記測定手段により測定された距離に基づいて、当該表示装置の位置に対する前記対象物の位置を特定することを特徴とする請求項１から５のいずれか一項に記載の表示装置。
【請求項７】
前記特定手段により特定された前記対象物の位置から前記対象物を識別する識別手段と、
この識別手段により識別された前記対象物に関する情報を取得する情報取得手段と、
をさらに備え、
前記報知手段は、前記情報取得手段により取得された前記対象物に関する情報を報知することを特徴とする請求項１から６のいずれか一項に記載の表示装置。
【請求項８】
外部の情報処理装置と通信する通信手段をさらに備え、
前記情報取得手段は、前記通信手段を介して前記対象物に関する情報を取得することを特徴とする請求項７に記載の表示装置。
【請求項９】
当該表示装置は接眼部を備え、前記接眼部の内側に前記表示手段が設けられていることを特徴とする請求項１から８のいずれか一項に記載の表示装置。
【請求項１０】
当該表示装置は筒状であって、端部の一端に前記接眼部を備えるとともに、側面部に前記指示手段を備え、
当該表示装置を把持した際に、前記指示手段が指に近接する位置となることを特徴とする請求項９に記載の表示装置。
【請求項１１】
撮像手段により逐次撮像された画像を表示する表示手段を備えた表示装置による表示方法であって、
前記表示手段により表示された画像に含まれ、前記表示手段における所定位置に表示されている対象物をマーキングするための指示信号を入力する指示ステップと、
当該表示装置が存する位置を特定する位置特定ステップと、
前記撮像手段による撮像の方向を特定する方向特定ステップと、
前記指示ステップにより前記指示信号が入力されると、前記位置特定ステップにより特定された当該表示装置の位置及び前記方向特定ステップにより特定された撮像の方向に基づいて、当該表示装置の位置に対する前記対象物の位置を特定する特定ステップと、
前記対象物の位置を報知する報知ステップと、
を有することを特徴とする表示方法。
【請求項１２】
撮像手段により逐次撮像された画像を表示する表示手段を備えた表示装置のコンピュータに、
前記表示手段により表示された画像に含まれ、前記表示手段における所定位置に表示されている対象物をマーキングするための指示信号を入力する指示機能、
当該表示装置が存する位置を特定する位置特定機能、
前記撮像手段による撮像の方向を特定する方向特定機能、
前記指示機能により前記指示信号が入力されると、前記位置特定機能により特定された当該表示装置の位置及び前記方向特定機能により特定された撮像の方向に基づいて、当該表示装置の位置に対する前記対象物の位置を特定する特定機能、
前記対象物の位置を報知する報知機能、
を実現させることを特徴とするプログラム。